(57)【要約】  【課題】  椅子に対して簡便に着脱できるオプション取付部材、および、オプション取付部材と椅子とからなる椅子セットを提供する。  【解決手段】  椅子セット１は、椅子２と、メモ台３を備えるオプション取付部材４と、からなる。  椅子２は、上下方向に延びる円柱状の右前脚１１を備える右脚体１０と、上下方向に延びる円柱状の左前脚２１を備える左脚体２０と、右脚体１０および左脚体２０を接続する連結杆３０とを有する。  オプション取付部材４は、右脚金具７０と、左脚金具８０と、２つの引っ掛け金具９０とを有する。  右脚金具７０は、左方向が開放されており、右前脚１１がその開放から移動可能となっている。左脚金具８０は、右方向と前方向とが開放されており、左前脚２１がその開放から移動可能となっている。引っ掛け金具９０は、下方向が開放されており、連結杆３０がその開放から移動可能となっている。【選択図】図１
2010268997.tif 000002
【特許請求の範囲】
【請求項１】
所定の間隔をあけて配列された略上下方向に延びる２本の縦柱と、前記２本の縦柱の配列方向に沿って延びる横柱と、を備える椅子において用いられるオプション取付部材であって、
前記２本の縦柱のうち一方の縦柱を保持する第１保持部および他方の縦柱を保持する第２保持部と、
前記横柱を保持する横柱保持部と、
オプションを保持するオプション保持部と、を備え、
前記横柱保持部は、前記横柱の外周面における少なくとも一部を取り囲む形状であって、下方向が前記横柱を通過可能に開放されており、
前記第１保持部および前記第２保持部は、以下（ａ），（ｂ）のいずれかに構成されている
ことを特徴とするオプション取付部材。
（ａ）前記第１保持部は、前記一方の縦柱における少なくとも一部の外周面を取り囲む形状であって、前記第２保持部に対向する方向が前記一方の縦柱を通過可能に開放されており、
前記第２保持部は、前記他方の縦柱における少なくとも一部の外周面における少なくとも前記配列方向外側を含む部分を取り囲む形状であって、前記配列方向と交差する方向のいずれか一方が前記他方の縦柱を通過可能に開放されている
（ｂ）前記第１保持部は、前記一方の縦柱における少なくとも一部の外周面を取り囲む形状であって、前記第２保持部に対向する方向の反対方向が前記一方の縦柱を通過可能に開放されており、
前記第２保持部は、前記他方の縦柱における少なくとも一部の外周面における少なくとも前記配列方向内側を含む部分を取り囲む形状であって、前記配列方向と交差する方向のいずれか一方が前記他方の縦柱を通過可能に開放されている
【請求項２】
前記第１保持部，前記第２保持部，および前記横柱保持部は、前記第１保持部にて保持する前記一方の縦柱と、前記第２保持部にて保持する前記他方の縦柱と、前記横柱保持部にて保持する前記横柱とが、前記２本の縦柱の長手方向から見て同一直線上に位置するように配置されている
ことを特徴とする請求項１に記載のオプション取付部材。
【請求項３】
前記横柱保持部は、前記横柱の長手方向に所定の間隔をあけた複数箇所に取り付けられている
ことを特徴とする請求項１または請求項２に記載のオプション取付部材。
【請求項４】
前記オプション保持部により保持されるメモ台をさらに備える
ことを特徴とする請求項１から請求項３のいずれかに記載のオプション取付部材。
【請求項５】
所定の間隔をおいて配列された略上下方向に延びる２本の縦柱と、前記２本の縦柱の配列方向に沿って延びる横柱と、を備える椅子と、
請求項１から請求項４のいずれかに記載のオプション取付部材と、を備える
ことを特徴とする椅子セット。
【請求項６】
前記横柱は、第１保持領域と、前記２本の縦柱の長手方向から見て、前記２本の縦柱の中心点を基準として前記第１保持領域と点対称となる領域である第２保持領域と、を有しており、
前記オプション取付部材は、前記第１保持部が前記一方の縦柱を保持し、前記第２保持部が前記他方の縦柱を保持し、前記横柱保持部が前記横柱を前記第１保持領域にて保持する正位置と、前記第１保持部が前記他方の縦柱を保持し、前記第２保持部が前記一方の縦柱を保持し、前記横柱保持部が前記横柱を前記第２保持領域にて保持する逆位置と、のいずれかの位置にて前記椅子に取り付け可能に構成されている
ことを特徴とする請求項５に記載の椅子セット。
【請求項７】
前記２本の縦柱は、前記椅子の脚であり、前記横柱は、前記椅子の脚を連結する連結杆である
ことを特徴とする請求項５または請求項６に記載の椅子セット。
【発明の詳細な説明】
【技術分野】
【０００１】
本発明は、椅子にオプションを取り付けるためのオプション取付部材、および、オプション取付部材と椅子とからなる椅子セットに関する。
【背景技術】
【０００２】
多目的ホールなどで椅子を使用するにあたっては、会合の種類や、部屋の大きさと使用人数との関係等に応じて、メモ台や肘掛けなどのオプションが取り付けられた椅子が必要である場合と、テーブルにセットして使用するなど上述したオプションが取り付けられていない椅子が必要である場合と、がある。
【０００３】
それに対し、予めオプションが取り付けられた椅子と、オプションが取り付けられていない椅子と、の両方を予め用意しておくことは、不経済であるうえ、両方の椅子を保管するスペースが必要となるなどの問題があった。
【０００４】
そこで従来、ボルトにて取り付け可能なオプション（メモ台や肘掛け）を備える椅子が提案されている（特許文献１参照）。この椅子では、必要なときのみオプションを取り付けることができる。
【先行技術文献】
【特許文献】
【０００５】
【特許文献１】実公平１−１６４５３号公報
【発明の概要】
【発明が解決しようとする課題】
【０００６】
しかしながら、上述した特許文献１に記載の椅子では、オプションを着脱する際にボルトを締めるまたは緩める操作が必要となるため、着脱に時間が掛かるという問題があった。
【０００７】
本発明は、上述した問題に鑑みてなされたものであり、その目的は、椅子に対して簡便に着脱できるオプション取付部材、および、オプション取付部材と椅子とからなる椅子セットを提供することである。
【課題を解決するための手段】
【０００８】
上述した問題を解決するためになされた請求項１に記載の発明は、所定の間隔をあけて配列された略上下方向に延びる２本の縦柱と、上記２本の縦柱の配列方向に沿って延びる横柱と、を備える椅子において用いられるオプション取付部材であって、上記２本の縦柱のうち一方の縦柱を保持する第１保持部および他方の縦柱を保持する第２保持部と、前記横柱を保持する横柱保持部と、オプションを保持するオプション保持部と、を備えるものである。
【０００９】
上記横柱保持部は、上記横柱の外周面における少なくとも一部を取り囲む形状であって、下方向が上記横柱を通過可能に開放されていることを特徴とする。
また、上記第１保持部および上記第２保持部は、以下（ａ），（ｂ）のいずれかに構成されている。
（ａ）上記第１保持部は、上記一方の縦柱における少なくとも一部の外周面を取り囲む形状であって、上記第２保持部に対向する方向が上記一方の縦柱を通過可能に開放されている。上記第２保持部は、上記他方の縦柱における少なくとも一部の外周面における少なくとも上記配列方向外側を含む部分を取り囲む形状であって、上記配列方向と交差する方向のいずれか一方が上記他方の縦柱を通過可能に開放されている。
（ｂ）上記第１保持部は、上記一方の縦柱における少なくとも一部の外周面を取り囲む形状であって、上記第２保持部に対向する方向の反対方向が上記一方の縦柱を通過可能に開放されている。上記第２保持部は、上記他方の縦柱における少なくとも一部の外周面における少なくとも上記配列方向内側を含む部分を取り囲む形状であって、上記配列方向と交差する方向のいずれか一方が上記他方の縦柱を通過可能に開放されている。
【００１０】
このように構成されたオプション取付部材は、第１保持部、第２保持部、横柱保持部によって、オプション保持部に保持されるオプションを椅子に対して固定する。
このオプション取付部材を椅子に固定する手順を説明する。まず、横柱保持部が横柱よりも上方にある位置にて、第１保持部の開放された側から一方の縦柱を挿入する。その状態で、一方の縦柱を回転軸としてオプション取付部材を回転することで、第２保持部の開放された側から他方の縦柱が挿入された状態となる。そして、オプション取付部材を下方向に移動すると、横柱保持部の下方向の開放された側から横柱が挿入される。
【００１１】
この状態において、オプション取付部材は椅子に固定された（取り付けられた）状態となる。
また、オプション取付部材を取り外す際には、上述した手順と逆の手順を追えばよい。具体的には、オプション取付部材を上方向に移動させると、横柱保持部から横柱が抜ける。その状態で一方の縦柱を回転軸として回転させることで第２保持部から他方の縦柱が抜ける。最後に第１保持部の開放部分から一方の縦柱を抜くことで、オプション取付部材は椅子から取り外される。
【００１２】
このように、上述した構成のオプション取付部材であれば、椅子に対して簡便に着脱することができる。
なお、上述した縦柱および横柱は、オプション取付部材を固定する目的で椅子に形成されるものであってもよいが、椅子の脚を縦柱とし、脚を水平方向に連結する連結杆を横柱として用いてもよい。このように構成することで、椅子に別途オプション取付部材を取り付けるための部材を形成する必要がなくなる。
【００１３】
また、他方の縦柱における配列方向外側を含む部分とは、他方の縦柱における一方の縦柱の側と反対の側を含む部分である。即ち、上記（ａ）の第２保持部は、オプション取付部材を椅子に取り付けた状態において、他方の縦柱における一方の縦柱の側と反対の側を含む部分を取り囲むように構成されている。
【００１４】
同様に、他方の縦柱における配列方向内側を含む部分とは、他方の縦柱における一方の縦柱の側を含む部分である。即ち、上記（ｂ）の第２保持部は、オプション取付部材を椅子に取り付けた状態において、他方の縦柱における一方の縦柱の側を含む部分を取り囲むように構成されている。
【００１５】
請求項２に記載の発明は、請求項１に記載のオプション取付部材であって、上記第１保持部，上記第２保持部，および上記横柱保持部は、上記第１保持部にて保持する上記一方の縦柱と、上記第２保持部にて保持する上記他方の縦柱と、上記横柱保持部にて保持する上記横柱とが、上記２本の縦柱の長手方向から見て同一直線上に位置するように配置されていることを特徴とする。
【００１６】
このように構成されたオプション取付部材では、第１保持部に他方の縦柱を挿入し、第２保持部に一方の縦柱を挿入して、オプション取付部材を椅子に取り付けることができるようになる。そして、このようにオプション取付部材を取り付けると、オプションの配置される位置が、上方向から見て、一方の縦柱と他方の縦柱との中心位置を中心に１８０度回転した位置となる。
【００１７】
したがって、上述した構成のオプション取付部材であれば、オプション取付部材の取り付け方を変更するだけで、オプションの配置される位置を変更することができるようになる。例えば、オプションとしてメモ台が取り付けられている場合、メモ台の位置を変更することができるようになるので、メモ台の使用用途によって位置を調整したり、右利き用と左利き用とを変更したり、メモ台を使用しない場合に使用者の動作の邪魔にならない不使用位置へとメモ台を移動したりすることができるようになる。
【００１８】
請求項３に記載の発明は、請求項１または請求項２に記載のオプション取付部材であって、上記横柱保持部は、上記横柱の長手方向に所定の間隔をあけた複数箇所に取り付けられていることを特徴とする。
【００１９】
このように構成されたオプション取付部材であれば、所定の間隔をあけた複数箇所にて横柱を保持することとなる。したがって、横柱における１つの箇所で保持する場合や、複数の箇所であっても近接した位置で保持する場合と比較して、横柱を安定して保持することができるようになる。
【００２０】
請求項４に記載の発明は、請求項１から請求項３に記載のオプション取付部材において、上記オプション保持部により保持されるメモ台をさらに備えることを特徴とする。
このように構成されたオプション取付部材であれば、椅子に対するメモ台の着脱を簡便に行うことができる。
【００２１】
請求項５に記載の発明は、所定の間隔をおいて配列された略上下方向に延びる２本の縦柱と、上記２本の縦柱の配列方向に沿って延びる横柱と、を備える椅子と、請求項１から請求項４のいずれかに記載のオプション取り付け部材と、を備えることを特徴とする椅子セットである。
【００２２】
このように構成された椅子セットでは、請求項１から請求項４のいずれかに記載のオプション取付部材について述べたとおりの作用、効果を奏することができる。
請求項６に記載の発明は、請求項５に記載の椅子セットにおいて、上記横柱が、第１保持領域と第２保持領域とを有していることと、上記オプション取付部材が、正位置と逆位置とのいずれかの位置にて上記椅子に取り付け可能に構成されていることを特徴とする。
【００２３】
なお、第２保持領域とは、上記２本の縦柱の長手方向から見て、上記２本の縦柱の中心点を基準として上記第１保持領域と点対称となる領域である。
また、正位置とは、上記第１保持部が上記一方の縦柱を保持し、上記第２保持部が上記他方の縦柱を保持し、上記横柱保持部が上記横柱を上記第１保持領域にて保持する位置であり、逆位置とは、上記第１保持部が上記他方の縦柱を保持し、上記第２保持部が上記一方の縦柱を保持し、上記横柱保持部が上記横柱を上記第２保持領域にて保持する位置である。
【００２４】
このように構成された椅子セットであれば、オプション取付部材の取り付け方を変更するだけで、オプションの配置される位置を変更することができるようになる。
請求項７に記載の発明は、請求項５または請求項６に記載の椅子セットにおいて、上記２本の縦柱が、上記椅子の脚であり、上記横柱が、上記椅子の脚を連結する連結杆であることを特徴とする。
【００２５】
このように構成された椅子セットであれば、椅子の脚および連結杆を利用してオプション取付部材を椅子に取り付けることができるため、オプション取付部材を椅子に取り付けるための部品を椅子に取り付ける必要がなく都合がよい。
【図面の簡単な説明】
【００２６】
【図１】椅子セットを示す斜視図
【図２】椅子を示す斜視図
【図３】オプション取付部材を示す斜視図
【図４】オプション取付部材の椅子への取り付け方法を説明する図
【図５】メモ台の移動を抑制する作用を説明する模式図
【図６】オプション取付部材を左右逆に取り付けた場合の椅子セットを示す斜視図
【図７】オプション取付部材の変形例を示す斜視図
【図８】オプション取付部材の変形例を示す斜視図
【図９】オプション取付部材の変形例を示す斜視図
【図１０】オプション取付部材の変形例を示す斜視図
【図１１】椅子セットの変形例を示す斜視図
【図１２】椅子セットの変形例を示す斜視図
【図１３】椅子セットの変形例を示す斜視図
【図１４】連結杆の変形例を示す上面図
【発明を実施するための形態】
【００２７】
以下に本発明の実施形態を図面と共に説明する。
（１）全体構成
本実施形態の椅子セット１は、図１に示すように、椅子２と、メモ台３を備えるオプション取付部材４と、からなる。
【００２８】
椅子２は、図２に示すように、右脚体１０と、左脚体２０と、右脚体１０および左脚体２０を接続する連結杆３０と、右脚体１０および左脚体２０により支持される座体４０および背もたれ５０とからなる。
【００２９】
右脚体１０は、座体４０の下方右側に配置されている。この右脚体１０は、座体４０の前端近傍において上下方向に延びる円柱状の右前脚１１と、右前脚１１よりも後方において上下方向に延びる右後脚１２と、右前脚１１および右後脚１２の下端を繋いでおり、床面に沿って延びる右底脚１３と、からなる。
【００３０】
左脚体２０は、座体４０の下方左側に配置されている。この左脚体２０は右脚体１０と左右対称に構成されており、右脚体１０と同様に、上下方向に延びる円柱状の左前脚２１と、左後脚２２と、左底脚２３と、からなる。
【００３１】
連結杆３０は、円柱状の部材であって、右前脚１１と左前脚２１の配列方向（左右方向）に沿って、右前脚１１と左前脚２１とを繋ぐように取り付けられている。より詳細には、上方向（即ち、右前脚１１，左前脚２１の長手方向）から見て右前脚１１の中心と、左前脚２１の中心と、を結ぶ直線上に連結杆３０の中心が一致するように配置されている。
【００３２】
座体４０は、使用者が着席する着座面を有している。
背もたれ５０は、座体４０の後方において、やや後傾した角度で取り付けられており、着席する使用者の背中を支持する。
【００３３】
メモ台３は、図１に示すように、メモ台３をオプション取付部材４に繋ぐメモ台支柱６０を備えている。
オプション取付部材４は、図３に示すように、右脚金具７０と、左脚金具８０と、２つの引っ掛け金具９０と、を、左右方向に延びる上下に並んだ２本のパイプからなる繋ぎパイプ１００に固定してなる。
【００３４】
右脚金具７０は、繋ぎパイプ１００の右端近傍に配置されている。この右脚金具７０は、上下方向に長さを有し、上方向から見て断面コの字型に形成される部材であって、前方に配置される前板７１と、後方に配置され、繋ぎパイプ１００に固定される後板７２と、右方に配置される右板７３と、からなる。
【００３５】
また、この右脚金具７０は、左脚金具８０と対向する左方向が開放されており、この開放部分から右前脚１１が右脚金具７０の保持位置（図３における右前脚１１の位置）に移動可能となっている。右前脚１１は、上記保持位置において、前後方向および右方向の外周面が右脚金具７０により取り囲まれることとなる。
【００３６】
左脚金具８０は、繋ぎパイプ１００の左端近傍に配置されている。この左脚金具８０は、上下方向に長さを有し、上方向から見て断面Ｌ字型に形成される部材であって、後方に配置され、繋ぎパイプ１００に固定される後板８１と、左方に配置される左板８２と、からなる。
【００３７】
また、この左脚金具８０は、右脚金具７０と対向する右方向と、前方向と、が開放されており、この開放部分から左前脚２１が左脚金具８０の保持位置（図３における左前脚２１の位置）に移動可能となっている。左前脚２１は、上記保持位置において、後方向および左方向の外周面が左脚金具８０により取り囲まれることとなる。
【００３８】
引っ掛け金具９０は、繋ぎパイプ１００における右脚金具７０と左脚金具８０との間において、連結杆３０の左右方向中心から左右に１箇所ずつ左右方向に所定の間隔をあけて配置されている。この引っ掛け金具９０は、左右方向に長さを有し、左右方向から見て断面コの字型に形成される部材であって、前方に配置される前板９１と、後方に配置され、繋ぎパイプ１００に固定される後板９２と、上方に配置される上板９３と、からなる。
【００３９】
また、この引っ掛け金具９０は、下方向が開放されており、この下方向から連結杆３０が引っ掛け金具９０の保持位置（図３における連結杆３０の位置）に移動可能となっている。連結杆３０は、上記保持位置において、前後方向および上方向の外周面が引っ掛け金具９０により取り囲まれることとなる。
【００４０】
なお、引っ掛け金具９０は、繋ぎパイプ１００における１箇所にのみ配置する構成であってもよいし、３箇所以上に配置する構成であってもよい。
また、上述したように、連結杆３０は、上方向から見て右前脚１１の中心と、左前脚２１の中心と、を結ぶ直線上に連結杆３０の中心が一致するように配置されている。即ち、右脚金具７０にて保持する右前脚１１と、左脚金具８０にて保持する左前脚２１と、引っ掛け金具９０にて保持する連結杆３０とが、上方向から見て同一直線上に位置するように構成されていることとなる。
【００４１】
また、繋ぎパイプ１００は、その右側端部においてメモ台支柱６０を保持している。したがって、図１の状態では、メモ台３は座体前方右側に配置された右利き用となっている。
【００４２】
次に、オプション取付部材４の椅子２への取り付け手順を、図４（ａ），（ｂ）に基づいて説明する。
まず、図４（ａ）に示すように、右脚金具７０の保持位置に右前脚１１が位置するようにオプション取付部材４を移動させる。このとき、引っ掛け金具９０が連結杆３０よりも上方となるようにする。そして、その状態で、右前脚１１を回転軸として、図４（ａ）における矢印方向にオプション取付部材４を回転させ、図４（ｂ）に示すように、左脚金具８０の保持位置に左前脚２１が位置するようにする。最後に、オプション取付部材４を下方向に移動すると、連結杆３０が引っ掛け金具９０の保持位置に移動する。これにより、オプション取付部材４の椅子２への取り付けが完了する。
【００４３】
オプション取付部材４を椅子２から取り外す場合は、上述した手順と逆の操作をすればよい。具体的には、まず、オプション取付部材４を上方向に移動させ、引っ掛け金具９０から連結杆３０を抜く。その状態で右前脚１１を回転軸として、上述した図４（ａ）における矢印と逆の方向に回転させることで、左脚金具８０から左前脚２１が抜ける。最後に右脚金具７０の開放部分から右前脚１１を抜くことで、オプション取付部材４は椅子２から取り外される。
【００４４】
次に、オプション取付部材４が椅子２に取り付けられた状態において、オプション取付部材４が椅子２に固定する作用を説明する。なお、ここで説明する作用は、オプション取付部材４の各構成要素から生じる代表的な作用であり、これ以外にもオプション取付部材４を椅子２に固定する作用が生じる場合もある。
【００４５】
まず、オプション取付部材４の水平方向および下方向への移動を抑制する作用について説明する。
オプション取付部材４が右方向へ移動しようとすると、左脚金具８０の左板８２が左前脚２１と接触するため、オプション取付部材４の右方向への移動が抑制される。
【００４６】
オプション取付部材４が左方向へ移動しようとすると、右脚金具７０の右板７３が右前脚１１と接触するため、オプション取付部材４の左方向への移動が抑制される。
オプション取付部材４が後方向へ移動しようとすると、右脚金具７０の前板７１が右前脚１１と接触すること、および引っ掛け金具９０の前板９１が連結杆３０と接触することにより、オプション取付部材４の後方向への移動が抑制される。
【００４７】
オプション取付部材４が前方向へ移動しようとすると、右脚金具７０の後板７２が右前脚１１と接触すること、および引っ掛け金具９０の後板９２が連結杆３０と接触することにより、オプション取付部材４の前方向への移動が抑制される。
【００４８】
また、オプション取付部材４の下方向への移動は、引っ掛け金具９０の上板９３が連結杆３０と接触することにより抑制される。
次に、メモ台３に対して荷重が加えられた場合に、オプション取付部材４がメモ台３の位置を維持する作用について説明する。
【００４９】
メモ台３に対して前方向または後方向の力を加えたときには、右脚金具７０の前板７１および後板７２が右前脚１１と接触してメモ台３の位置を維持する。
より詳細には、メモ台３に前方向の力が加わると、図５（ａ）（右脚金具７０を左方向から見た図）に示すように、右脚金具７０が前傾する向き（図中矢印方向）に力が加わる。そのとき、前板７１の下端と、後板７２の上端と、が右前脚１１に接触し、右脚金具７０の前傾を抑制する。それにより、メモ台３の前方への移動を抑制する。また、メモ台３に後方向の力が加わった場合は、上述したものとは逆に、前板７１の上端と後板７２の下端とが右前脚１１に接触して右脚金具７０の後傾を抑制することにより、メモ台３の後方への移動を抑制する。
【００５０】
また、メモ台３に対して右方向または左方向の力を加えたときには、右脚金具７０の右板７３と左脚金具８０の左板８２とが、それぞれ右前脚１１と左前脚２１と接触してメモ台３の位置を維持する。
【００５１】
より詳細には、メモ台３に右方向の力が加わると、図５（ｂ）（右前脚１１，左前脚２１を正面から見た図）に示すように、オプション取付部材４全体が右に傾く向き（図中矢印方向）に力が加わる。そのとき、右板７３の下端が右前脚１１に接触するとともに、左板８２の上端が左前脚２１に接触し、オプション取付部材４全体の傾きを抑制する。それにより、メモ台３の右方向への移動を抑制する。また、メモ台３に左方向の力が加わった場合は、上述したものとは逆に、右板７３の上端が右前脚１１に接触するとともに左板８２の下端が左前脚２１に接触してオプション取付部材４の傾きを抑制することにより、メモ台３の左方向への移動を抑制する。
（２）発明の効果
上述した構成の椅子セット１であれば、椅子２に対してオプション取付部材４を工具などを用いることなく簡便に着脱することができる。また、取り付けにボルトやネジなどを用いないため、それらの部品を紛失してしまいオプション取付部材４の取り付けができなくなる虞がない。
【００５２】
また、椅子２の一般的な構成要素である右前脚１１，左前脚２１，連結杆３０を利用してオプション取付部材４を取り付けているため、オプション取付部材４を取り付けるための部材を椅子２に別途形成する必要がなくなる。
【００５３】
また、オプション取付部材４は可動部分やバネ，ゴムなどの経年劣化を起こしやすい部品を用いていないため、破損や故障などが起こり難く、オプション取付部材を長期間使用することができる。
【００５４】
また、上記椅子セット１では、右脚金具７０にて保持する右前脚１１と、左脚金具８０にて保持する左前脚２１と、引っ掛け金具９０にて保持する連結杆３０とが、上方向から見て同一直線上に位置するように構成されているため、左前脚２１を右脚金具７０にて保持し、右前脚１１を左脚金具８０にて保持することができるようになる。そして、このようにオプション取付部材４を取り付けると、図６に示すように、メモ台３は座体前方左側に配置されることとなる。
【００５５】
したがって、オプション取付部材４の取り付け方を変更するだけで、メモ台３の位置を右利き用から左利き用に変更することができるようになる。
なお、このように右利き用と左利き用とを変更可能にする場合には、メモ台３の主たる面が、上方向から見て上述した右前脚１１と左前脚２１とを結ぶ直線を基準として線対称に近い形状であることが望ましい。メモ台３をこのように構成すると、右利き用として使用する場合と左利き用として使用する場合とで、メモ台３を左右対称の形状とすることができる。
【００５６】
また、上記オプション取付部材４は、繋ぎパイプ１００において左右方向に所定の間隔をあけた２箇所に引っ掛け金具９０が取り付けられているため、引っ掛け金具９０を１点しか用いない構成や、２点であっても隣接して繋ぎパイプ１００に取り付けた構成などと比較して、連結杆３０を安定して保持することができるようになる。
（３）変形例
以上、本発明の実施形態について説明したが、本発明は、上記実施形態に何ら限定されることはなく、本発明の技術的範囲に属する限り種々の形態をとり得ることはいうまでもない。
【００５７】
例えば、上記実施形態においては、メモ台支柱６０にはメモ台３が取り付けられる構成を例示したが、メモ台３以外のものが取り付けられていてもよい。例えば、肘掛けを取り付けることが考えられる。
【００５８】
また、右脚金具７０，左脚金具８０，引っ掛け金具９０は、上述した形状に限定されず、さまざまな態様をとることができる。例えば、図７に示すように、右前脚１１，左前脚２１，および連結杆３０と接触する部分が円筒形に形成されることが考えられる。
【００５９】
また、図８に示すように、左脚金具８０の右方向には右板８３が形成されていて開放されていない構成であってもよい。
また、上記実施形態においては、右脚金具７０は左脚金具８０と対向する左方向が開放されており、左脚金具８０は右脚金具７０と対向する右方向が開放されている構成を例示した。しかしながら、右脚金具７０は右方向が開放され、左脚金具は左方向が開放される構成であってもよい。
【００６０】
例えば、図９に示すように、右脚金具７０は右板７３に代えて左板７４を備えており、左脚金具８０は左板８２に代えて右板８３を備える構成とすることが考えられる。
このように構成されたオプション取付部材４であれば、右方向への移動は、右脚金具７０の左板７４が右前脚１１と接触することで抑制され、左方向への移動は、左脚金具８０の右板８３が左前脚２１と接触することで抑制される。
【００６１】
メモ台３に右方向の力が加えられ、オプション取付部材４全体が右に傾く向きに力が加わると、図５（ｃ）に示すように、左板７４の上端が右前脚１１に接触するとともに、右板８３の下端が左前脚２１に接触し、オプション取付部材４全体の傾きを抑制する。また、メモ台３に左方向の力が加わった場合は、上述したものとは逆に、左板７４の下端が右前脚１１に接触するとともに右板８３の上端が左前脚２１に接触してオプション取付部材４の傾きを抑制する。
【００６２】
また、上記実施形態においては、右脚金具７０，左脚金具８０，および引っ掛け金具９０の各金具は、それぞれ別個の部材であって、それぞれが繋ぎパイプ１００に固定されている構成を例示した。しかしながら、繋ぎパイプ１００以外の部材、例えば板状の部材に上記各金具が取り付けられる構成であってもよいし、上記各金具が一体に形成される構成であってもよい。
【００６３】
上記各金具を一体に形成する場合には、例えば図１０に示すように、繋ぎパイプ１００に代わるベース板１０１を介して各金具を一体に形成することが考えられる。
また、上記実施形態においては、椅子２の脚を用いてオプション取付部材４を取り付ける構成を例示したが、椅子２の脚以外のものを用いて取り付ける構成であってもよい。例えば、オプション取付部材４を取り付けるために椅子２に形成された柱部材などに取り付ける構成であってもよい。
【００６４】
また、上記実施形態においては、椅子２の前方側にオプション取付部材４を取り付ける構成を例示したが、図１１に示すように、椅子２の側面に取り付ける構成であってもよい。
【００６５】
また、上記実施形態においては、椅子２は、右前脚１１および左前脚２１が上下方向に延びており、連結杆３０が右前脚１１および左前脚２１の上下方向の中間部に配置されるものである構成を例示した。しかしながら、椅子が、所定の間隔をあけて配列された上下方向に延びる２本の縦柱と、その２本の縦柱の配列方向に沿って延びる１本の横柱と、を有していれば、その構成は上記実施形態の椅子２の構成に限定されない。
【００６６】
例えば、図１２（ａ），（ｂ）に示すように、脚が斜め方向に延びており、連結杆が脚の上端に備えられる椅子１１０であっても、オプション取付部材１２０を取り付けることができる。図１２（ａ）は椅子１１０にオプション取付部材１２０を取り付けてなる椅子セット１３０を示す図であり、図１２（ｂ）は椅子１１０の座体１１４を取り外した状態を示す図である。
【００６７】
オプション取付部材１２０は、右脚金具１２１，左脚金具１２２，引っ掛け金具１２３，およびそれらを保持する繋ぎパイプ１２４からなる。
右脚金具１２１は椅子１１０の右前脚１１１を保持しており、左脚金具１２２は左前脚１１２を保持している。また、引っ掛け金具１２３は、椅子１１０の連結杆１１３を保持している。
【００６８】
このように構成された椅子セット１３０であれば、上述した椅子セット１と同様に簡便にオプション取付部材１２０の着脱を行うことができる。
また、上記実施形態においては、真っ直ぐな円柱状の連結杆３０を本発明における横柱として用いる構成を例示したが、横柱は、折れ線状や曲線状に形成されていてもよいし、角柱などの円柱以外の形状であってもよい。
【００６９】
例えば、図１３に示すように、左前脚２１と左後脚２２との間に配置された連結杆３１を、上方向から見て折れ線状となるように構成することが考えられる。なお、図１３の椅子セット１においては、オプション取付部材４は繋ぎパイプ１００に代えてベース部材１０２を用いており、メモ台３に代えて肘掛け５を保持している。また、右脚金具７０が左前脚２１を保持し、左脚金具８０が左後脚２２を保持している。このとき、連結杆３１を上方向から見た図を図１４（ａ）に示す。
【００７０】
連結杆３１は、第１保持領域３２および第２保持領域３３を有している。この第１保持領域３２および第２保持領域３３は、左前脚２１と左後脚２２との中心点Ａを基準として点対称となる領域である。そのため、図１４（ａ）においては引っ掛け金具９０が第１保持領域３２にて連結杆３１を保持しているが、図１４（ｂ）に示すように、右脚金具７０が左後脚２２を保持し、左脚金具８０が左前脚２１を保持するようにオプション取付部材４を取り付けると、引っ掛け金具９０は第２保持領域３３にて連結杆３１を保持することとなるため、オプション取付部材４の取り付け方を容易に変更することができる。
【００７１】
また、オプション取付部材は、上述した実施形態および変形例を、左右対称に構成したものであってもよい。
【符号の説明】
【００７２】
１…椅子セット、２…椅子、３…メモ台、４…オプション取付部材、５…肘掛け、１０…右脚体、１１…右前脚、１２…右後脚、１３…右底脚、２０…左脚体、２１…左前脚、２２…左後脚、２３…左底脚、３０，３１…連結杆、３２…第１保持領域、３３…第２保持領域、４０…座体、５０…背もたれ、６０…メモ台支柱、７０…右脚金具、７１…前板、７２…後板、７３…右板、７４…左板、８０…左脚金具、８１…後板、８２…左板、８３…右板、９０…引っ掛け金具、９１…前板、９２…後板、９３…上板、１００…繋ぎパイプ、１０１…ベース板、１０２…ベース部材、１１０…椅子、１１１…右前脚、１１２…左前脚、１１３…連結杆、１１４…座体、１２０…オプション取付部材、１２１…右脚金具、１２２…左脚金具、１２３…引っ掛け金具、１２４…繋ぎパイプ、１３０…椅子セット
【図１】
2010268997.tif 000003
【図２】
2010268997.tif 000004
【図３】
2010268997.tif 000005
【図４】
2010268997.tif 000006
【図５】
2010268997.tif 000007
【図６】
2010268997.tif 000008
【図７】
2010268997.tif 000009
【図８】
2010268997.tif 000010
【図９】
2010268997.tif 000011
【図１０】
2010268997.tif 000012
【図１１】
2010268997.tif 000013
【図１２】
2010268997.tif 000014
【図１３】
2010268997.tif 000015
【図１４】
2010268997.tif 000016